(57)【特許請求の範囲】
【請求項１】
コンクリートスラブを施工し、
前記コンクリートスラブの表面に気体および液状物質の透過を遮断するエポキシ樹脂塗料またはウレタン樹脂塗料を塗布することにより、前記コンクリートスラブ中のアルカリ性の水分を遮断可能な樹脂層を形成し、
前記樹脂層上に接着剤を介して、アルカリ性の水分と反応したときに加水分解により高級アルコール化合物を生じる可塑剤としてジオクチルフタレートを含有する材料が下面に露出した床材を貼着するようにした、
ことを特徴とする床施工方法。
【請求項２】
コンクリートスラブを施工し、
前記コンクリートスラブの表面に接着剤を介して気体および液状物質の透過を遮断するエポキシ樹脂シートまたはウレタン樹脂シートを貼着することにより、前記コンクリートスラブ中のアルカリ性の水分を遮断可能な樹脂層を形成し、
前記樹脂層上に接着剤を介して、アルカリ性の水分と反応したときに加水分解により高級アルコール化合物を生じる可塑剤としてジオクチルフタレートを含有する材料が下面に露出した床材を貼着するようにした、
ことを特徴とする床施工方法。
【請求項３】
コンクリートスラブの上に接着剤を介して床材が貼着された床を改修する方法であって、
前記床材を撤去し、
残存した前記接着剤上に気体および液状物質の透過を遮断するエポキシ樹脂塗料またはウレタン樹脂塗料を塗布することにより、前記コンクリートスラブ中のアルカリ性の水分を遮断可能な樹脂層を形成し、
前記樹脂層上に接着剤を介して、アルカリ性の水分と反応したときに加水分解により高級アルコール化合物を生じる可塑剤としてジオクチルフタレートを含有する材料が下面に露出した新たな床材を貼着するようにした、
ことを特徴とする床改修方法。
【請求項４】
コンクリートスラブの上に接着剤を介して床材が貼着された床を改修する方法であって、
前記床材を撤去し、
残存した前記接着剤上に接着剤を介して気体および液状物質の透過を遮断するエポキシ樹脂シートまたはウレタン樹脂シートを貼着することにより、前記コンクリートスラブ中のアルカリ性の水分を遮断可能な樹脂層を形成し、
前記樹脂層上に接着剤を介して、アルカリ性の水分と反応したときに加水分解により高級アルコール化合物を生じる可塑剤としてジオクチルフタレートを含有する材料が下面に露出した新たな床材を貼着するようにした、
ことを特徴とする床改修方法。
【請求項５】
前記樹脂塗料はエポキシ樹脂塗料であり、前記エポキシ樹脂塗料として無溶剤型塗料が使用されることを特徴とする請求項１記載の床施工方法または請求項３記載の床改修方法。
【請求項６】
前記床材は、少なくとも前記コンクリートスラブに対向する面が塩化ビニル樹脂で形成されていることを特徴とした請求項１または２記載の床施工方法または請求項３または４記載の床改修方法。
【請求項７】
コンクリートスラブと、
前記コンクリートスラブの表面に設けられた、気体および液状物質の透過を遮断し前記コンクリートスラブ中のアルカリ性の水分を遮断可能なエポキシ樹脂またはウレタン樹脂からなる樹脂層と、
前記樹脂層の上に接着剤を介して貼着された床材とを備え、
前記床材は、アルカリ性の水分と反応したときに加水分解により高級アルコール化合物を生じる可塑剤としてジオクチルフタレートを含有する材料が下面に露出した床材である、
ことを特徴とする床構造。
【請求項８】
前記樹脂層は、樹脂塗料または樹脂シートで構成されていることを特徴とする請求項７記載の床構造。
【発明の詳細な説明】
【０００１】
【発明の属する技術分野】
本発明は樹脂を用いた床施工方法および床改修方法ならびに床構造に関する。
【０００２】
【従来の技術】
従来、コンクリート面にタイルカーペット、長尺塩ビシート等の床材を施工する場合、レベリング用モルタル等を施工した後、接着剤で直にこれらの床材を接着する工法が取られている。
【０００３】
【発明が解決しようとする課題】
しかしながら、床材をこのようにコンクリート直貼りした場合、施工した数週間後から薬品臭が発生する場合がある。
この臭気は高級アルコール化合物等が主成分であることが知られている。
このような臭気が発生する要因は、床材の中に使用されている可塑材などが接着剤に移行しコンクリート中のアルカリ性の水分と反応して高級アルコール化合物等に加水分解されるためである。例えば、床材としてタイルカーペットバッキング材や長尺塩ビシート等に塩化ビニル樹脂[化学式（−CH2−CHC1−）n]が使用されている場合、その中に使用されているジオクチルフタレートなどの可塑材が接着剤に移行しコンクリート中のアルカリ性の水分と反応して1−エチル−2−ヘキサノール、オクタノール等の高級アルコール化合物等に加水分解される。
これらは強い溶剤臭を発するとともに、長時間人間が吸引し続けると頭痛や吐き気、意識障害などが生ずる。
この臭気は化学反応して発するために、換気や空気清浄機による浄化を行っても一時的に臭気を低減することはできるが、換気や浄化を停止した後は再び発生し続ける。臭気の濃度はその後も低減しないのが特長である。
【０００４】
臭気を低減化できる床施工方法は今まで確立されておらず、従来では、下地のコンクリートの水分量をできるだけ低減化してから行う方法が取られているに過ぎない。
しかし、下地のコンクリートの水分が低減し始めるには、３カ月以上も期間が必要となり、下地のコンクリートの水分量を低減化する方法では工事が長期化する不具合があった。
また、一度高級アルコール化合物等が発生した際に施工される従来の臭気を低減化する床改修方法では、まず、床材をすべて撤去するとともに、下地のコンクリート面の上部をケレンし、さらにベイクアウト等の加熱、換気を行いコンクリート中に染み込んだ高級アルコール化合物を完全に揮発除去させることが行われている。
しかしながら、これらの作業は最低でも１カ月以上の施工期間が必要となり、やはり工事が長期化する不具合があった。
従って、短期間で完了できる臭気が発生しにくい施工方法および改修方法ならびに床構造の出現が望まれていた。
本発明は前記事情に鑑み案出されたものであって、本発明の目的は、臭気が発生しにくくしかも短期間で完了できる床施工方法および床改修方法ならびに床構造提供することにある。
【０００５】
【課題を解決するための手段】
前記目的を達成するため、本発明の床施工方法は、コンクリートスラブを施工し、前記コンクリートスラブの表面に気体および液状物質の透過を遮断するエポキシ樹脂塗料またはウレタン樹脂塗料を塗布することにより、前記コンクリートスラブ中のアルカリ性の水分を遮断可能な樹脂層を形成し、前記樹脂層上に接着剤を介して、アルカリ性の水分と反応したときに加水分解により高級アルコール化合物を生じる可塑剤としてジオクチルフタレートを含有する材料が下面に露出した床材を貼着するようにしたことを特徴とする。
また、本発明の床施工方法は、コンクリートスラブを施工し、前記コンクリートスラブの表面に接着剤を介して気体および液状物質の透過を遮断するエポキシ樹脂シートまたはウレタン樹脂シートを貼着することにより、前記コンクリートスラブ中のアルカリ性の水分を遮断可能な樹脂層を形成し、前記樹脂層上に接着剤を介して、アルカリ性の水分と反応したときに加水分解により高級アルコール化合物を生じる可塑剤としてジオクチルフタレートを含有する材料が下面に露出した床材を貼着するようにしたことを特徴とする。
また、本発明の床改修方法は、コンクリートスラブの上に接着剤を介して床材が貼着された床を改修するに際して、前記床材を撤去し、残存した前記接着剤上に気体および液状物質の透過を遮断するエポキシ樹脂塗料またはウレタン樹脂塗料を塗布することにより、前記コンクリートスラブ中のアルカリ性の水分を遮断可能な樹脂層を形成し、前記樹脂層上に接着剤を介して、アルカリ性の水分と反応したときに加水分解により高級アルコール化合物を生じる可塑剤としてジオクチルフタレートを含有する材料が下面に露出した新たな床材を貼着するようにしたことを特徴とする。
また、本発明の床改修方法は、コンクリートスラブの上に接着剤を介して床材が貼着された床を改修するに際して、前記床材を撤去し、残存した前記接着剤上に接着剤を介して気体および液状物質の透過を遮断するエポキシ樹脂シートまたはウレタン樹脂シートを貼着することにより、前記コンクリートスラブ中のアルカリ性の水分を遮断可能な樹脂層を形成し、前記樹脂層上に接着剤を介して、アルカリ性の水分と反応したときに加水分解により高級アルコール化合物を生じる可塑剤としてジオクチルフタレートを含有する材料が下面に露出した新たな床材を貼着するようにしたことを特徴とする。
また、本発明の床構造は、コンクリートスラブと、前記コンクリートスラブの表面に設けられた、気体および液状物質の透過を遮断し前記コンクリートスラブ中のアルカリ性の水分を遮断可能なエポキシ樹脂またはウレタン樹脂からなる樹脂層と、前記樹脂層の上に接着剤を介して貼着された床材とを備え、前記床材は、アルカリ性の水分と反応したときに加水分解により高級アルコール化合物を生じる可塑剤としてジオクチルフタレートを含有する材料が下面に露出した床材であることを特徴とする。
【０００６】
本発明によれば、樹脂塗料や樹脂シートなどから成る樹脂層により、床材とコンクリートスラブとの間が遮断され、アルカリ性の水分と反応したときに加水分解により高級アルコール化合物を生じる床材中の可塑材と、コンクリートスラブ中のアルカリ性の水分とが触れ合うことが阻止される。
【０００７】
【発明の実施の形態】
以下、本発明の実施の形態を図面を参照して説明する。
（既存床の改修）
図１（Ａ）乃至（Ｆ）は既存床を改修する場合の説明図を示す。
図１（Ａ）は既存床の断面図を示しており、既存床はコンクリートスラブ１２の上に接着剤１４が塗布され、その上に床材１６が貼着されて施工されている。
既存床を改修する場合には、図１（Ａ）、（Ｂ）に示すように、まず、床材１６を撤去する。
その後、図１（Ｃ）に示すように、残存している接着剤１４上に床用の樹脂塗料１８を塗布する。
次に、樹脂塗料１８の硬化後、図１（Ｄ）に示すように、樹脂塗料１８の上に接着剤２０を塗布し、その上に新規な床材２２を貼着する。
【０００８】
あるいは、図１（Ａ）、（Ｂ）に示すように、床材１６を撤去した後、図１（Ｅ）に示すように、残存している接着剤１４上に接着剤２４を塗布し、その上に樹脂シート２６を貼着する。
次に、図１（Ｆ）に示すように、樹脂シート２６の上に接着剤２８を塗布し、その上に新規な床材３０を貼着する。
【０００９】
（新規床施工）
図２は床を新規施工する場合の説明図を示す。
床を新規施工する場合には、図２（Ａ）、（Ｂ）に示すように、硬化したコンクリートスラブ１２の表面に床用の樹脂塗料（合成樹脂塗料）１８を塗布する。
次に、樹脂塗料１８の硬化後、図２（Ｃ）に示すように、樹脂塗料１８の上に接着剤２０を塗布し、その上に新規な床材２２を貼着する。
【００１０】
あるいは、図２（Ａ）、（Ｄ）に示すように、硬化したコンクリートスラブ１２の表面に接着剤２４を塗布し、その上に樹脂シート２６を貼着する。
次に、図２（Ｅ）に示すように、樹脂シート２６の上に接着剤２８を塗布し、その上に新規な床材３０を貼着する。
なお、前記樹脂塗料１８や樹脂シート２６により樹脂層が形成される。
【００１１】
前記床材２２，３０は例えば、タイルカーペット、長尺塩ビシート、ビニル床タイル、ビニル床シート、ゴム系床タイルなどであり、これらはいずれも、アルカリ性の水分と反応したときに加水分解により高級アルコール化合物を生じる可塑剤を含有する材料が下面に露出した床材である。
【００１２】
前記床材２２，３０を貼着する接着剤２０，２８としては、その成分がウレタン樹脂系、アクリル樹脂系、合成ゴム系等のものが挙げられる。
【００１３】
樹脂塗料１８としては気体および液状物質の透過を遮断する性質を有するものが使用される。
このような樹脂塗料１８としては、例えば、エポキシ樹脂塗料、ウレタン樹脂塗料、アクリル樹脂塗料等が挙げられる。
耐久性の点からすると、エポキシ樹脂塗料やウレタン樹脂塗料等の反応硬化型の樹脂塗料１８が好ましい。このような樹脂塗料１８として市販品である商品名「ユータックＦ（日本特殊塗料株式会社）」を用いることができる。
ウレタン樹脂塗料を施工する場合トルエン、キシレン等のVOC（揮発性有機物質）が発生するため、換気をする必要がある。これらは１〜４８時間程度で硬化しコンクリートスラブ１２の表面に強靭な膜を作る。
また、エポキシ樹脂塗料として無溶剤型エポキシ樹脂塗料を用いると、臭気が少なく締め切られた空間でも臭気の発生を最小限にして施工ができる利点がある。このような無溶剤型エポキシ樹脂塗料として市販品である商品名「ニッペクリンカラーE10（日本ペイント株式会社）」や「アーキフロアEH無溶剤（エスケー化研株式会社）」等を用いることができる。
【００１４】
樹脂シート２６としては、前記樹脂塗料１８と同様に、気体および液状物質の透過を遮断する性質を有するものが使用される。
このような樹脂シート２６としては、例えば、エポキシ樹脂、ウレタン樹脂、アクリル樹脂製のものが挙げられる。このような樹脂シート２６として市販品である商品名「トーヨーＣＳＭシート（東洋ゴム株式会社）」を用いることができる。
樹脂シート２６の貼着に用いる接着剤２４としては、床材２２の貼着に用いる接着剤２０、２８と同様のものが使用される。
【００１５】
新規床施工の際、樹脂塗料１８を塗布する場合も樹脂シート２６を貼着する場合も、コンクリートスラブ１２が硬化した直後から施工可能である。
新規床施工の場合、コンクリート中の水分を低減するなどの理由から、コンクリート打設後１週間以上経過した後に施工することが好ましい。
また、既存床の改修の場合は、床材１６を撤去した後直後に施工できる。この際、アルコール化合物の臭気があってもケレンや脱臭、前材料の接着剤を撤去する必要はない。
また、樹脂塗料１８を塗布する場合、塗布後、養生を３日程度とることが好ましく、一方、樹脂シート２６を貼着する場合には、養生の必要がない。そのため、樹脂シート２６を貼着する場合の方が、樹脂塗料１８を塗布する場合に比べて工期の短縮化を図る点で若干有利となる。
なお、樹脂塗料１８を塗布する前に、あるいは、樹脂シート２６を貼着する前に、レベリング用モルタル等を施工するかいなかは任意である。
【００１６】
本実施の形態によれば、樹脂塗料１８や樹脂シート２６などの樹脂層により、床材２２，３０とコンクリートスラブ１２との間が遮断され、床材２２，３０中の可塑材と、コンクリートスラブ１２中のアルカリ性の水分とが触れ合うことが阻止され、これにより可塑材とコンクリート中のアルカリ性の水分との加水分解が防止される。
したがって、床材２２，３０をコンクリート直貼りした場合であっても、薬品臭の発生を防止できる。
また、コンクリートスラブ１２の上に樹脂塗料１８や樹脂シート２６などの樹脂層を設ける構成であるので、工事が長期化する不具合もなく、短い施工期間で工事を完了できる。
特に、ハーフＰＣ合板床版型枠やデッキ型枠のスラブコンクリート上に床材を直張りする場合や、あるいは土間コンクリート上に床材を直張りする場合に、臭気の問題が顕著化しているので、このような場合に本発明は好適となる。
【００１７】
（実験例１）
オフィスビルにてタイルカーペット用接着剤に起因する臭気が発生した場所に本発明を実施した。
床材１６をなすタイルカーペットを撤去し、残存している接着剤１４上に、床用の樹脂塗料１８としてエポキシ樹脂系塗料を塗布した。
表１に示すように、実施前（当初の臭気が発生していた状態）と実施後（樹脂塗料１８を塗布した後）において、1−エチル−2−ヘキサノール、オクタノール等のアルコール系化合物の濃度を測定したところ、それらの濃度がそれぞれほぼ１０分の１に低下した。
【００１８】
【表１】
0004104110.tif 000002
【００１９】
（実験例２）
実験室において、コンクリートスラブ１２に対応するモルタル板に、接着剤１４としてアクリル樹脂系接着剤を塗布し、その上に、樹脂塗料１８としてエポキシ樹脂系、ウレタン系の合成樹脂を塗布した。
表２に示すように、樹脂塗料１８としてエポキシ樹脂系の合成樹脂を塗布した場合と、ウレタン系の合成樹脂を塗布した場合と、モルタル板にアクリル樹脂系接着剤を塗布した場合とでそれぞれ臭気測定したところ、エポキシ樹脂系の合成樹脂を塗布した場合およびウレタン系の合成樹脂を塗布した場合には、モルタル板にアクリル樹脂系接着剤のみを塗布した場合に比べて、1−エチル−2−ヘキサノール、オクタノール等のアルコール系化合物の濃度がそれぞれ１０分の１以下に低下した。
【００２０】
【表２】
0004104110.tif 000003
【００２１】
【発明の効果】
以上の説明で明らかなように本発明の床施工方法および床改修方法並びに床構造によれば、臭気が発生しにくい床構造を短期間で施工、あるいは改修することができる。
【図面の簡単な説明】
【図１】（Ａ）乃至（Ｆ）は既存床を改修する場合の説明図である。
【図２】（Ａ）乃至（Ｅ）は新規床施工の説明図である。
【符号の説明】
１２  コンクリートスラブ
１４，２０，２４，２８  接着剤
１６，２２，３０  床材
１８  樹脂塗料
２６  樹脂シート
【図１】
0004104110.tif 000004
【図２】
0004104110.tif 000005